(57)【特許請求の範囲】
【請求項１】
廃ガラスを再利用すべく、廃ガラスを粉砕し、その粉砕ガラスを排出管に通して、この排出管に縛りつけた搬送用のフレコンバッグに収納する粉砕ガラス梱包装置において、
上記粉砕ガラスをフレコンバッグに収納する際に、フレコンバッグにおける収納用開口周辺の垂れ下がりを防止する垂れ下がり防止手段が設けられており、
上記垂れ下がり防止手段は、上記排出管の先端周囲に設けられ、上記排出管の鉛直部分に下から通して挿入される上記フレコンバッグの収納用開口の周辺を広角に保持する鍔部にてなっており、かつ、上記鍔部は、上記フレコンバックを排出管に挿入した後にその外径が広がる開閉機構を備えていることを特徴とする粉砕ガラス梱包装置。
【請求項２】
上記排出管が２方向に粉砕ガラスを排出できるようにＹ字状に分岐され、上記排出管フレコンバックを２個セットし得るようになっていることを特徴とする請求項１に記載の粉砕ガラス梱包装置。
【請求項３】
上記粉砕ガラスをフレコンバッグに収納する際に、フレコンバッグの折り目を引き伸ばす、折り目引き伸ばし手段を備えていることを特徴とする請求項１または２に記載の粉砕ガラス梱包装置。
【請求項４】
上記折り目引き伸ばし手段は、未収納のフレコンバッグを宙づりに吊り下げる吊り下げ部材にてなっていることを特徴とする請求項３に記載の粉砕ガラス梱包装置。
【請求項５】
上記吊り下げ部材は弾性部材にてなっているとともに、宙づりに吊り下げられた未収納のフレコンバッグの下方には粉砕ガラスの収納量を測定するための重量計が設けられていることを特徴とする請求項４に記載の粉砕ガラス梱包装置。
【発明の詳細な説明】
【０００１】
【発明の属する技術分野】
本発明は、廃ガラスを再利用すべく、廃ガラスを粉砕し、その粉砕ガラスを排出管に通して、この排出管に縛りつけた搬送用のフレコンバッグに収納する粉砕ガラス梱包装置に関するものである。
【０００２】
【従来の技術】
液晶パネル等の製造工場においては、破損、残材、品質不良等により不要となった液晶パネル等の廃ガラスは、リサイクルのために、例えば、工場にて粉砕して袋詰めした後、廃ガラス処理業者のところまで搬送し、廃ガラス処理業者にて処理している。
【０００３】
ここで、工場にて廃ガラスを粉砕して袋詰めするための従来の粉砕ガラス梱包装置５０は、図４に示すように、支持架台５１の上部に粉砕機５２を備え、この粉砕機５２にて廃ガラスを粉砕した後、粉砕機５２の下部に設けられた排出管５３及び接続用配管５４を通して粉砕した廃ガラスをフレコンバッグ(Flexible intermediate bulk Container Bag)５５と称される搬送用の収納袋に収納するものとなっている。
【０００４】
なお、廃ガラスを粉砕機５２にて粉砕するのは、ガラスを粉砕することにより容量を減容し、かつフレコンバッグ５５に定量が入るようにし、さらに安全に輸送するためである。
【０００５】
上記の粉砕ガラス梱包装置５０にて、廃ガラスを粉砕してフレコンバッグ５５に収納する方法を具体的に説明する。
【０００６】
先ず、液晶パネルを製造する際に不良品等として排出されたガラスや液晶パネル等の廃ガラスを粉砕機５２に投入し、約１０ｍｍφ以下に粉砕する。
【０００７】
次いで、粉砕ガラスを輸送するために規定容量として約１トン収納できるフレコンバッグ５５に粉砕ガラスを収納する。
【０００８】
このとき、従来の収納方法では、粉砕機５２から排出される粉砕ガラスを通す接続用配管５４にフレコンバッグ５５の収納用開口を下から挿入した後、開閉ロープ５７で接続用配管５４周辺と密閉するように、かつ、下に落下しないように縛って固定する。なお、フレコンバッグ５５の収納用開口の寸法は約３８０ｍｍφであるのに対して、接続用配管５４の外径は約１５０ｍｍφである。
【０００９】
また、粉砕機５２の下部にフレコンバッグ５５をセットした後、フレコンバッグ５５の四隅を伸縮しないロープ５６…にて吊り下げる。これにより、粉砕ガラスを供給してもフレコンバッグ５５が横倒れしない状態に保たれる。
【００１０】
このとき、フレコンバッグ５５の下部は重量計６０と接地した状態になっているとともに、ロープ５６…は、フレコンバッグ５５に粉砕ガラスを収納してもこのロープ５６…に殆ど荷重が掛からないロープ長さとなっている。
【００１１】
【発明が解決しようとする課題】
しかしながら、上記従来の粉砕ガラス梱包装置では、粉砕ガラスをフレコンバッグ５５に収納する工程において、フレコンバッグ５５に収納できる規定容量に対して充分な量を収納できていないという問題点を有している。
【００１２】
フレコンバッグ５５に充分な量を収納できない理由として次の二点が考えられる。
【００１３】
第一の理由として、フレコンバッグ５５は、四隅で伸縮しないロープ５６…にて吊り下げられるとともに、フレコンバッグ５５の下部は重量計６０に接地している。
【００１４】
ここで、未使用のフレコンバッグ５５は折り畳まれて納入されるため、折り目６１…が付いている。このため、吊り下げる時に作業者が折り目６１…を広げるが、フレコンバッグ５５が柔軟ではないので、充分に広げることができない。
【００１５】
この結果、図５に示すように、粉砕ガラスを収納してもフレコンバッグ５５の折り目６１…がそのまま残った状態で収納されるので、収納した容量が減少することになる。
【００１６】
次に、第二の理由として、ガラスを粉砕するときに発生する粉塵を押さえるために粉砕機５２には図示しない集塵機が設けられている。そして、この集塵機にてフレコンバッグ５５内を吸引することによって、フレコンバッグ５５を萎ませた状態にして収納するので、フレコンバッグ５５への収納容量をさらに減少させることになる。
【００１７】
すなわち、フレコンバッグ５５の収納用開口が内径約３８０ｍｍφであるのに対して外径約１５０ｍｍφの接続用配管５４を使用しているため、フレコンバッグ５５の自重により収納用開口周辺６２が逆Ｖ字型に細くなって垂れ下がる。
【００１８】
このため、粉砕ガラスは固体であるので、流動性が無く、垂れ下がって逆Ｖ字型をしたフレコンバッグ５５の収納用開口周辺６２を山積み状態に押し上がるものの、フレコンバッグ５５の周辺にまで広がらず、その結果、規定量まで収納できなかった。つまり、安息角（実施の形態において説明する）を満たして盛られる山の頂がフレコンバッグ５５の内部で低くなるので、規定量収納できないことになる。
【００１９】
そして、上述したように、フレコンバッグ５５に粉砕ガラスが規定量収納できないと、さらに次の弊害を招来する。
【００２０】
すなわち、フレコンバッグ５５に収納した粉砕ガラスの容量は重量計６０で管理し、一定の重量にならないと粉砕機５２が停止しないようになっている。したがって、フレコンバッグ５５に充分な量を収納されないと、粉砕機５２は未だ規定量収納されていないと判断して稼動し続け、粉砕ガラスを排出し続ける。粉砕ガラスを排出し続けると、フレコンバッグ５５に粉砕ガラスが収納されないため、接続用配管５４に粉砕ガラスが溜まって、粉砕機５２の中が粉砕ガラスで満杯になる。そして、粉砕機５２が満杯になると、過負荷になり、粉砕機５２の刃先やモーターに悪影響を及ぼすことになる。
【００２１】
また、それを解消するため、一時、粉砕機５２を停止させて、フレコンバッグ５５の収納用開口周辺６２まで詰まった粉砕ガラスを作業者の手でフレコンバッグ５５の周辺まで掻き分ける作業を行っていたので、作業効率も悪かった。
【００２２】
本発明は、上記従来の問題点に鑑みなされたものであって、その目的は、粉砕ガラスをフレコンバッグに収納するに際し、粉砕機や作業性に悪影響を及ぼすことなく、安定して効率良く収納し得る粉砕ガラス梱包装置を提供することにある。
【００２３】
【課題を解決するための手段】
本発明の粉砕ガラス梱包装置は、上記課題を解決するために、廃ガラスを再利用すべく、廃ガラスを粉砕し、その粉砕ガラスを排出管に通して、この排出管に縛りつけた搬送用のフレコンバッグに収納する粉砕ガラス梱包装置において、上記粉砕ガラスをフレコンバッグに収納する際に、フレコンバッグにおける収納用開口周辺の垂れ下がりを防止する垂れ下がり防止手段が設けられていることを特徴としている。なお、フレコンバッグとは、「Flexible intermediate bulk Container Bag」の略称であり、廃ガラス等の廃材の搬送用の収納袋として一般的に使用されているものである。
【００２４】
上記の発明によれば、粉砕ガラス梱包装置では、廃ガラスを粉砕し、その粉砕ガラスを排出管に通して、この排出管に縛りつけた搬送用のフレコンバッグに収納する。これにより、その後、例えば、廃ガラス処理業者に搬送し処理することによってガラスとして再生され再利用される。
【００２５】
ところで、従来においては、粉砕ガラスを搬送用のフレコンバッグに収納する際に、フレコンバッグの自重により及び埃防止のために集塵機にて吸引することにより、収納用開口周辺が垂れ下がって細くなり、十分にフレコンバッグに粉砕ガラスを収納することができなかった。
【００２６】
しかし、本発明では、粉砕ガラスをフレコンバッグに収納する際に、垂れ下がり防止手段が、フレコンバッグにおける収納用開口周辺の垂れ下がりを防止する。
【００２７】
したがって、集塵機にて吸引しても、フレコンバッグの収納用開口周辺が垂れ下がることがないので、フレコンバッグに粉砕ガラスを十分に収納することができる。また、これによって、粉砕機を停止した後の、フレコンバッグにおける収納用開口周辺の粉砕ガラスの均し作業もなくなるので、作業性が良いものとなる。さらに、規定量収納されないことによる、排出管の粉砕ガラスの堆積ひいては粉砕機への堆積がなくなるので、粉砕機に悪影響を及ぼすこともない。
【００２８】
この結果、粉砕ガラスをフレコンバッグに収納するに際し、粉砕機や作業性に悪影響を及ぼすことなく、安定して効率良く収納し得る粉砕ガラス梱包装置を提供することができる。
【００２９】
また、本発明の粉砕ガラス梱包装置は、上記課題を解決するために、上記記載の粉砕ガラス梱包装置において、垂れ下がり防止手段は、排出管の先端周囲に設けられた鍔部にてなっていることを特徴としている。
【００３０】
上記の発明によれば、垂れ下がり防止手段は、排出管の先端周囲に設けられた鍔部にてなっているので、粉砕ガラスをフレコンバッグに収納する際に、フレコンバッグの収納用開口周辺が幅広く保持される。
【００３１】
この結果、確実に、粉砕ガラスをフレコンバッグに収納する際に、フレコンバッグにおける収納用開口周辺が垂れ下がるのを防止することができる。
【００３２】
また、本発明の粉砕ガラス梱包装置は、上記課題を解決するために、廃ガラスを再利用すべく、廃ガラスを粉砕し、その粉砕ガラスを排出管に通して、この排出管に縛りつけた搬送用のフレコンバッグに収納する粉砕ガラス梱包装置において、上記粉砕ガラスをフレコンバッグに収納する際に、フレコンバッグの折り目を引き伸ばす、折り目引き伸ばし手段を備えていることを特徴としている。
【００３３】
すなわち、未使用のフレコンバッグは折り畳まれて保管されているが、従来の粉砕ガラス梱包装置においては、フレコンバッグを粉砕ガラス梱包装置にセットして粉砕ガラスを収納する際にも折り目を残した状態で収納していた。このため、収納量が規定容量に達しないという問題点を有していた。
【００３４】
しかし、本発明によれば、粉砕ガラスをフレコンバッグに収納する際に、折り目引き伸ばし手段は、フレコンバッグの折り目を引き伸ばす。
【００３５】
このため、未使用のフレコンバッグであっても、フレコンバッグを粉砕ガラス梱包装置にセットして粉砕ガラスを収納する際には、折り目引き伸ばし手段によってフレコンバッグの折り目が引き伸ばされる。この結果、収納量を規定容量に到達させることができる。
【００３６】
また、収納量が規定容量に達するので、粉砕機や作業性に悪影響を及ぼすこともない。
【００３７】
したがって、粉砕ガラスをフレコンバッグに収納するに際し、粉砕機や作業性に悪影響を及ぼすことなく、安定して効率良く収納し得る粉砕ガラス梱包装置を提供することができる。
【００３８】
また、本発明の粉砕ガラス梱包装置は、上記課題を解決するために、上記記載の粉砕ガラス梱包装置において、折り目引き伸ばし手段は、未収納のフレコンバッグを宙づりに吊り下げる吊り下げ部材にてなっていることを特徴としている。
【００３９】
上記発明によれば、折り目引き伸ばし手段は、未収納のフレコンバッグを宙づりに吊り下げる吊り下げ部材にてなっている。
【００４０】
このため、フレコンバッグに粉砕ガラスを収納するに伴って、フレコンバッグは粉砕ガラスの重量によって下方に伸び、その結果、折り目が引き伸ばされる。
【００４１】
したがって、確実に、フレコンバッグの折り畳み時に形成された折り目を引き伸ばし、これによって、確実に、粉砕ガラスをフレコンバッグに収納するに際し、粉砕機や作業性に悪影響を及ぼすことなく、安定して効率良く収納し得る粉砕ガラス梱包装置を提供することができる。
【００４２】
また、本発明の粉砕ガラス梱包装置は、上記課題を解決するために、上記記載の粉砕ガラス梱包装置において、吊り下げ部材は弾性部材にてなっているとともに、宙づりに吊り下げられた未収納のフレコンバッグの下方には粉砕ガラスの収納量を測定するための重量計が設けられていることを特徴としている。
【００４３】
上記発明によれば、宙づりに吊り下げられた未収納のフレコンバッグの下方には粉砕ガラスの収納量を測定するための重量計が設けられている。したがって、この重量計により粉砕ガラスの収納量を測定することができる。
【００４４】
ところで、折り目引き伸ばし手段が、単なる吊り下げ部材にてなっていると、フレコンバッグが粉砕ガラスの重量によって下方に伸びて、重量計に到達したとしても、フレコンバッグが吊り下げ部材にて拘束されているので、正確な重量を測定することができない。
【００４５】
しかし、本発明では、吊り下げ部材は弾性部材にてなっている。このため、弾性部材の弾性強さを考慮することにより、吊り下げ部材を弾性部材にて形成してもフレコンバッグの折り目を伸ばすことができるとともに、フレコンバッグを重量計に到達させてその重量を測定することができる。なお、弾性部材の吊り下げ強さについては容易に計算等により求めることができる。
【００４６】
この結果、確実に、粉砕ガラスをフレコンバッグに収納するに際し、粉砕機や作業性に悪影響を及ぼすことなく、安定して効率良く収納し得る粉砕ガラス梱包装置を提供することができる。
【００４７】
【発明の実施の形態】
本発明の実施の一形態について図１ないし図３に基づいて説明すれば、以下の通りである。
【００４８】
本実施の形態の粉砕ガラス梱包装置は、図１に示すように、支持架台２の上部に設けられてガラスや液晶パネルを粉砕する粉砕機３と、この粉砕機３にて粉砕排出された粉砕ガラス１…を搬送用の収納袋であるフレコンバッグ(Flexible intermediate bulk Container Bag)２０に供給するために粉砕機３の下側に設けられた排出管１０と、上記フレコンバッグ２０と、フレコンバッグ２０を支持架台２に懸架すべく、フック金具４が付いた折り目引き伸ばし手段及び吊り下げ部材及び弾性部材としてのゴムロープ５…と、フレコンバッグ２０の下側に設けられてフレコンバッグ２０の容量を重量で管理する重量計６とから構成されている。
【００４９】
上記フレコンバッグ２０は、規定容量として約１トンの粉砕ガラス１…を収納できるものである。このフレコンバッグ２０は、使用するまでは折り畳んで保管される一方、フレコンバッグ２０を支持架台２にセットしたときには、比較的硬質の例えばプラスチック素材からなっているので、折り目２３…が残り易いものとなっている。
【００５０】
また、フレコンバッグ２０には、上部の四隅にフック２１…が設けられており、これらフック２１…にゴムロープ５…の先端に設けられたフック金具４…を引っ掛けることにより、未収納の状態におけるフレコンバッグ２０は、同図に示すように、ゴムロープ５…の弾性力によって、重量計６から離れた状態に宙吊りに吊り下げられた状態に保持されるようになっている。
【００５１】
また、上記排出管１０は、粉砕機３の下部からＹ字状に分岐しており、２方向にこの粉砕機３からの粉砕ガラス１…を排出できるようになっている。したがって、２個のフレコンバッグ２０・２０を同時にセットできるものとなっている。
【００５２】
なお、本実施の形態においては、排出管１０の片方の分岐管についてのみ説明する。
【００５３】
上記排出管１０は、図２に示すように、粉砕機３の直下のＹ字の分岐部から略くの字状に垂下するくの字管１１と、このくの字管１１の先端に形成されたフランジ部１２を介して取り付けられた直管からなる接続用配管１３とから構成されている。
【００５４】
上記接続用配管１３には、フレコンバッグ２０の収納用開口２２が挿入されるとともに、その挿入状態にて、外側から開閉ロープ７にてフレコンバッグ２０を縛って固定するものとなっている。すなわち、フレコンバッグ２０の収納用開口２２の内径は例えば約３８０ｍｍφであり、接続用配管１３の外径は例えば約１５０ｍｍφとなっている。なお、フレコンバッグ２０の内部中央は、収納用開口２２の内径よりも大きい内径を有している。
【００５５】
ここで、本実施の形態の接続用配管１３には、下端に接続用配管１３よりも大きい直径を有する垂れ下がり防止手段としての鍔部１４が同心の水平円形板状に形成されている。
【００５６】
すなわち、鍔部１４は、外径が例えば約３４０ｍｍφとなっており、接続用配管１３の外径が上述したように例えば約１５０ｍｍφであるのに対して広くなっている。また、上記の鍔部１４の中央には、接続用配管１３の口径を維持すべく約１５０ｍｍφの穴が開いている。
【００５７】
なお、この鍔部１４は、本実施の形態のように水平板であっても良いが、必ずしもこれに限らず、フレコンバッグ２０の上部内面に沿うように傘状つまり下向きに凹面であっても良い。
【００５８】
上記の鍔部１４は、フレコンバッグ２０を接続用配管１３に縛って固定したときに、フレコンバッグ２０の上部内面を押し広げるために設けられている。その結果、フレコンバッグ２０の収納用開口２２の周辺全体が、フレコンバッグ２０の自重や図示しない集塵機による吸引によって、萎んで逆Ｖ字型に垂れ下がらないようになる。
【００５９】
上記構成を備えた粉砕ガラス梱包装置における、破損、残材、品質不良等により不要となった例えば液晶パネル等の廃ガラスを粉砕機３にて粉砕し、フレコンバッグ２０に袋詰めする手順について説明する。
【００６０】
最初に、予め、液晶パネルを製造する際に不良品等として排出されたガラスや液晶パネル等の廃ガラスを回収箱に集めておく。
【００６１】
そして、廃ガラスをフレコンバッグ２０に収納するときには、先ず、支持架台２から吊り下げられた伸縮するゴムロープ５…の先端部に設けられたフック金具４…をフレコンバッグ２０の四隅に設けられたフック２１……に引っ掛けてフレコンバッグ２０を吊り上げる。この時、フレコンバッグ２０の下部は、重量計６と接しないように、重量計６とフレコンバッグ２０の底面との間に例えば約１００ｍｍ程度の隙間が形成される状態となっている。
【００６２】
次いで、開いた状態のフレコンバッグ２０の収納用開口２２を、鍔部１４を備えた接続用配管１３に下から通してこの接続用配管１３に挿入し、フレコンバッグ２０の収納用開口２２を開閉ロープ７にて縛る。これによって、フレコンバッグ２０が排出管１０に密閉状態に固定される。
【００６３】
この状態にて、前記回収箱に集めておいた廃ガラスを、図３に示す粉砕機３に上側から投入する。これにより、廃ガラスは、粉砕機３に設けられた刃物で切断され、約１０ｍｍφ以下に粉砕される。
【００６４】
次いで、上記の粉砕ガラス１…は、排出管１０を通ってフレコンバッグ２０に収納される。
【００６５】
ここで、粉砕ガラス１…がフレコンバッグ２０に収納される過程において、フレコンバッグ２０には、図１に示すように、最初、折り目２３…が多数付いている。しかしながら、これら折り目２３…は、図３に示すように、ゴムロープ５…によってフレコンバッグ２０を吊り上げる一方、フレコンバッグ２０に粉砕ガラス１…を収納するに伴ってその重みでフレコンバッグ２０が下方へ引っ張られることにより、徐々に解消される。
【００６６】
また、フレコンバッグ２０に粉砕ガラス１…を収納する過程において、フレコンバッグ２０を四隅で吊り上げているので、粉砕ガラス１…はフレコンバッグ２０の底面の中央に集まる。この結果、粉砕ガラス１…は、収納量を増加していくに伴い、均一にフレコンバッグ２０周辺に広がって行くので、偏りが防止される。
【００６７】
次に、フレコンバッグ２０への収納量が増加して、粉砕ガラス１…の重量によりフレコンバッグ２０が重量計６に載置された状態になると、ゴムロープ５…にて宙刷りになったフレコンバッグ２０を下側に約１０ｃｍ引っ張ることになり、この結果、フレコンバッグ２０の折り目２３…が略伸ばされることになる。
【００６８】
ところで、フレコンバッグ２０を吊り上げているゴムロープ５…はゴムにてなっているので伸びる。したがって、フレコンバッグ２０に収納した粉砕ガラス１…の収納量を重量計６にて測定する際に、フレコンバッグ２０は重量計６に載置状態とすることができるので、フレコンバッグ２０の収納量の測定が妨げられることはない。なお、４本のゴムロープ５…の引っ張り力は予め重量換算すれば良い。
【００６９】
また、粉砕ガラス１…をフレコンバッグ２０に収納する過程において、フレコンバッグ２０の収納用開口周辺２４は、鍔部１４によって広角に保持されるので、この収納用開口周辺２４が逆Ｖ字状に細くなることがない。
【００７０】
このため、フレコンバッグ２０に堆積した粉砕ガラス１…は、安息角θ（約１１６度）を維持することができ、収納量を増やして一定の量まで収納することができる。なお、安息角とは、一般的に、石炭や土砂等を積み上げるとき、その山が安定を保てる最大傾斜角度をいう。また、上記安息角θは、１８０度に近づく程、フレコンバッグ２０の周辺に広がり、収納量を増す。
【００７１】
次に、粉砕機３が稼働し続けることにより、フレコンバッグ２０が一定量になれば、粉砕機３が停止する。
【００７２】
ところで、上記のフレコンバッグ２０に収納した粉砕ガラス１…の容量は重量計６にて管理され、一定の重量にならないと粉砕機３が停止しないようになっている。
【００７３】
ここで、従来の粉砕ガラス梱包装置においては、フレコンバッグ２０に充分な量が収納されないと粉砕機３の方は一定量収納されていないと判断して稼動し粉砕ガラス１…を排出し続けていた。そして、粉砕ガラス１…を排出し続けると、フレコンバッグ２０に粉砕ガラス１…が収納されないため、接続用配管１３に粉砕ガラス１…が滞留し、ひいては粉砕機３の中が粉砕ガラス１…で満杯になる。
【００７４】
そして、粉砕機３が満杯になると過負荷になり、粉砕機３の刃先やモーターに悪影響を及ぼすという弊害を招来していた。
【００７５】
しかし、本実施の形態の粉砕ガラス梱包装置では、上述したように、フレコンバッグ２０が粉砕ガラス１…にて略確実に規定量に収納されるので、粉砕機３の刃先やモーターに悪影響を及ぼすことがない。
【００７６】
このように、本実施の形態の粉砕ガラス梱包装置では、廃ガラスを粉砕し、その粉砕ガラス１…を排出管１０に通して、この排出管１０の先に取り付けた接続用配管１３に縛りつけた搬送用のフレコンバッグ２０に収納する。これにより、その後、例えば、廃ガラス処理業者に搬送し処理することによってガラスとして再生され再利用される。
【００７７】
ところで、従来においては、粉砕ガラス１…をフレコンバッグ２０に収納する際に、フレコンバッグ２０の自重により及び埃防止のために図示しない集塵機にて吸引することにより、収納用開口周辺２４が垂れ下がって細くなり、十分にフレコンバッグ２０に粉砕ガラス１…を収納することができなかった。
【００７８】
しかし、本実施の形態では、粉砕ガラス１…をフレコンバッグ２０に収納する際に、鍔部１４が、フレコンバッグ２０における収納用開口周辺２４の垂れ下がりを防止する。
【００７９】
したがって、集塵機にて吸引しても、フレコンバッグ２０の収納用開口周辺２４が垂れ下がることがないので、フレコンバッグ２０に粉砕ガラス１…を十分に収納することができる。また、これによって、粉砕機３を停止した後の、フレコンバッグ２０における収納用開口周辺２４の粉砕ガラス１…の均し作業もなくなるので、作業性が良いものとなる。さらに、規定量収納されないことによる、排出管１０における接続用配管１３の粉砕ガラス１…の堆積ひいては粉砕機３への堆積がなくなるので、粉砕機３に悪影響を及ぼすこともない。
【００８０】
この結果、粉砕ガラス１…をフレコンバッグ２０に収納するに際し、粉砕機３や作業性に悪影響を及ぼすことなく、安定して効率良く収納し得る粉砕ガラス梱包装置を提供することができる。
【００８１】
また、本実施の形態の粉砕ガラス梱包装置では、垂れ下がり防止手段は、排出管１０における接続用配管１３の先端周囲に設けられた鍔部１４にてなっているので、粉砕ガラス１…をフレコンバッグ２０に収納する際に、フレコンバッグ２０の収納用開口周辺２４が幅広く保持される。
【００８２】
これによって、粉砕機３から排出される粉砕ガラス１…はフレコンバッグ２０の収納用開口周辺２４と接触しないため、安息角θを維持することができる。
【００８３】
この結果、確実に、粉砕ガラス１…をフレコンバッグ２０に収納する際に、フレコンバッグ２０における収納用開口周辺２４が垂れ下がるのを防止することができる。
【００８４】
ところで、未使用のフレコンバッグ２０は折り畳まれて保管されているが、従来の粉砕ガラス梱包装置においては、フレコンバッグ２０を粉砕ガラス梱包装置にセットして粉砕ガラス１…を収納する際にも折り目２３…を残した状態で収納していた。このため、収納量が規定容量に達しないという問題点を有していた。
【００８５】
しかし、本実施の形態の粉砕ガラス梱包装置では、粉砕ガラス１…をフレコンバッグ２０に収納する際に、折り目引き伸ばし手段としてのゴムロープ５…は、フレコンバッグ２０の折り目２３…を引き伸ばす。
【００８６】
このため、未使用のフレコンバッグ２０であっても、フレコンバッグ２０を粉砕ガラス梱包装置にセットして粉砕ガラス１…を収納する際には、ゴムロープ５…の吊り下げと粉砕ガラス１…の重量によってフレコンバッグ２０の折り目２３…が引き伸ばされる。この結果、収納量を規定容量に到達させることができる。
【００８７】
また、収納量が規定容量に達するので、粉砕機３や作業性に悪影響を及ぼすこともない。
【００８８】
したがって、粉砕ガラス１…をフレコンバッグ２０に収納するに際し、粉砕機３や作業性に悪影響を及ぼすことなく、安定して効率良く収納し得る粉砕ガラス梱包装置を提供することができる。
【００８９】
また、本実施の形態の粉砕ガラス梱包装置では、折り目引き伸ばし手段は、未収納のフレコンバッグを宙づりに吊り下げる吊り下げ部材としてのゴムロープ５…にてなっている。
【００９０】
このため、フレコンバッグ２０に粉砕ガラス１…を収納するに伴って、フレコンバッグ２０は粉砕ガラス１…の重量によって下方に伸び、その結果、折り目２３…が引き伸ばされる。
【００９１】
したがって、確実に、フレコンバッグ２０の折り畳み時に形成された折り目２３…を引き伸ばし、これによって、確実に、粉砕ガラス１…をフレコンバッグ２０に収納するに際し、粉砕機３や作業性に悪影響を及ぼすことなく、安定して効率良く収納し得る粉砕ガラス梱包装置を提供することができる。
【００９２】
また、本実施の形態の粉砕ガラス梱包装置では、宙づりに吊り下げられた未収納のフレコンバッグ２０の下方には粉砕ガラス１…の収納量を測定するための重量計６が設けられている。したがって、この重量計６により粉砕ガラス１…の収納量を測定することができる。
【００９３】
ところで、折り目引き伸ばし手段が、単なる吊り下げ部材にてなっていると、つまり弾性部材にてなっていないと、フレコンバッグ２０が粉砕ガラス１…の重量によって下方に伸びて、重量計６に到達したとしても、フレコンバッグ２０が吊り下げ部材にて拘束されているので、正確な重量を測定することができない。
【００９４】
しかし、本実施の形態では、吊り下げ部材は弾性部材としてのゴムロープ５…にてなっている。このため、ゴムロープ５…の弾性強さを考慮することにより、吊り下げ部材を弾性部材にて形成してもフレコンバッグ２０の折り目２３…を伸ばすことができるとともに、フレコンバッグ２０を重量計６に到達させてその重量を測定することができる。なお、ゴムロープ５…の吊り下げ強さについては容易に計算等により求めることができる。
【００９５】
また、ゴムロープ５…は、フレコンバッグ２０の全体を吊り上げるので、粉砕ガラス１…をフレコンバッグ２０の底面の中央に集め、均一にフレコンバッグ２０周辺に広がって行き、偏りを防ぎ、かつ粉砕ガラス１…をフレコンバッグ２０に確実に安定した収納をすることができる。
【００９６】
この結果、確実に、粉砕ガラス１…をフレコンバッグ２０に収納するに際し、粉砕機３や作業性に悪影響を及ぼすことなく、安定して効率良く収納し得る粉砕ガラス梱包装置を提供することができる。
【００９７】
また、本実施の形態の粉砕ガラス梱包装置では、排出管１０はＹ字状に分岐され、フレコンバッグ２０を２個セットし得るようになっている。
【００９８】
これにより、片方のフレコンバッグ２０への収納を行っているときに、他方のフレコンバッグ２０のセットができるので、作業性を良くすることができる。
【００９９】
なお、本発明は、上記の実施の形態に限定されるものではなく、本発明の範囲内で種々の変更が可能である。例えば、上記実施の形態では、フレコンバッグ２０を支持架台２に取り付けるために、弾性部材としてのゴムロープ５…を用いていたが、必ずしもこれに限らず、例えば、弾性部材としての引っ張りバネを用いることができ、これによっても同様な効果が得られる。
【０１００】
また、本実施の形態では、上記鍔部１４は、外径約３４０ｍｍφの固定の外径の水平板を使用していたが、必ずしもこれに限らず、例えば、内径約３８０ｍｍφのフレコンバッグ２０の収納用開口２２に挿入した後、その外径が３４０ｍｍφから３８０ｍｍφ以上に広がる開閉機構を備えることが可能である。これによって、粉砕ガラス１…の重量によってフレコンバッグ２０の収納用開口２２の周辺がさらに垂れ下がらず、さらに収納量を増量することができる。
【０１０１】
また、本実施の形態では、本発明の垂れ下がり防止手段と折り目引き伸ばし手段とを両方備えたものとして説明したが、本発明においては、必ずしもこれに限らず、各々を単独に備えても、フレコンバッグ２０の収納量を増量することができる。
【０１０２】
【発明の効果】
本発明の粉砕ガラス梱包装置は、以上のように、粉砕ガラスをフレコンバッグに収納する際に、フレコンバッグにおける収納用開口周辺の垂れ下がりを防止する垂れ下がり防止手段が設けられているものである。
【０１０３】
それゆえ、集塵機にて吸引しても、フレコンバッグの収納用開口周辺が垂れ下がることがないので、フレコンバッグに粉砕ガラスを十分に収納することができる。また、これによって、粉砕機を停止した後の、フレコンバッグにおける収納用開口周辺の粉砕ガラスの均し作業もなくなるので、作業性が良いものとなる。
【０１０４】
さらに、規定量収納されないことによる、排出管の粉砕ガラスの堆積ひいては粉砕機への堆積がなくなるので、粉砕機に悪影響を及ぼすこともない。
【０１０５】
この結果、粉砕ガラスをフレコンバッグに収納するに際し、粉砕機や作業性に悪影響を及ぼすことなく、安定して効率良く収納し得る粉砕ガラス梱包装置を提供することができるという効果を奏する。
【０１０６】
また、本発明の粉砕ガラス梱包装置は、以上のように、上記記載の粉砕ガラス梱包装置において、垂れ下がり防止手段は、排出管の先端周囲に設けられた鍔部にてなっているものである。
【０１０７】
それゆえ、垂れ下がり防止手段は、排出管の先端周囲に設けられた鍔部にてなっているので、粉砕ガラスをフレコンバッグに収納する際に、フレコンバッグの収納用開口周辺が幅広く保持される。
【０１０８】
この結果、確実に、粉砕ガラスをフレコンバッグに収納する際に、フレコンバッグにおける収納用開口周辺が垂れ下がるのを防止することができるという効果を奏する。
【０１０９】
また、本発明の粉砕ガラス梱包装置は、以上のように、粉砕ガラスをフレコンバッグに収納する際に、フレコンバッグの折り目を引き伸ばす、折り目引き伸ばし手段を備えているものである。
【０１１０】
それゆえ、未使用のフレコンバッグであっても、フレコンバッグを粉砕ガラス梱包装置にセットして粉砕ガラスを収納する際には、折り目引き伸ばし手段によってフレコンバッグの折り目が引き伸ばされる。この結果、収納量を規定容量に到達させることができる。
【０１１１】
また、収納量が規定容量に達するので、粉砕機や作業性に悪影響を及ぼすこともない。
【０１１２】
したがって、粉砕ガラスをフレコンバッグに収納するに際し、粉砕機や作業性に悪影響を及ぼすことなく、安定して効率良く収納し得る粉砕ガラス梱包装置を提供することができるという効果を奏する。
【０１１３】
また、本発明の粉砕ガラス梱包装置は、以上のように、上記記載の粉砕ガラス梱包装置において、折り目引き伸ばし手段は、未収納のフレコンバッグを宙づりに吊り下げる吊り下げ部材にてなっているものである。
【０１１４】
それゆえ、フレコンバッグに粉砕ガラスを収納するに伴って、フレコンバッグは粉砕ガラスの重量によって下方に伸び、その結果、折り目が引き伸ばされる。
【０１１５】
したがって、確実に、フレコンバッグの折り畳み時に形成された折り目を引き伸ばし、これによって、確実に、粉砕ガラスをフレコンバッグに収納するに際し、粉砕機や作業性に悪影響を及ぼすことなく、安定して効率良く収納し得る粉砕ガラス梱包装置を提供することができるという効果を奏する。
【０１１６】
また、本発明の粉砕ガラス梱包装置は、以上のように、上記記載の粉砕ガラス梱包装置において、吊り下げ部材は弾性部材にてなっているとともに、宙づりに吊り下げられた未収納のフレコンバッグの下方には粉砕ガラスの収納量を測定するための重量計が設けられているものである。
【０１１７】
それゆえ、重量計により粉砕ガラスの収納量を測定することができる。
【０１１８】
また、吊り下げ部材は弾性部材にてなっているので、弾性部材の弾性強さを考慮することにより、吊り下げ部材を弾性部材にて形成してもフレコンバッグの折り目を伸ばすことができるとともに、フレコンバッグを重量計に到達させてその重量を測定することができる。
【０１１９】
この結果、確実に、粉砕ガラスをフレコンバッグに収納するに際し、粉砕機や作業性に悪影響を及ぼすことなく、安定して効率良く収納し得る粉砕ガラス梱包装置を提供することができるという効果を奏する。
【図面の簡単な説明】
【図１】本発明における粉砕ガラス梱包装置の実施の一形態を示すものであり、未収納のフレコンバッグを宙吊りにしてセットした状態を示す構成図である。
【図２】上記粉砕ガラス梱包装置における接続用配管の構成を一部破断して示す要部正面図である。
【図３】上記粉砕ガラス梱包装置にてフレコンバッグに粉砕ガラスを収納した状態を示す構成図である。
【図４】従来の粉砕ガラス梱包装置を示すものであり、未収納のフレコンバッグをセットした状態を示す構成図である。
【図５】上記粉砕ガラス梱包装置にてフレコンバッグに粉砕ガラスを収納した状態を示す構成図である。
【符号の説明】
１    粉砕ガラス
２    支持架台
３    粉砕機
４    フック
５    ゴムロープ（折り目引き伸ばし手段、弾性部材）
６    重量計
７    開閉ロープ
１０    排出管
１１    くの字管
１２    フランジ
１３    接続用配管
１４    鍔部（垂れ下がり防止手段）
２０    フレコンバッグ
２１    フック
２２    収納用開口
２３    折り目
２４    収納用開口周辺
θ    安息角
【図１】
0003690579.tif 000002
【図２】
0003690579.tif 000003
【図３】
0003690579.tif 000004
【図４】
0003690579.tif 000005
【図５】
0003690579.tif 000006